(57)【特許請求の範囲】
【請求項１】
化粧料を収納する合成樹脂製の容器本体と、この容器本体に一体的に取り付けられる鏡等の異質部材との組合せになる化粧料容器であって、
前記容器本体と前記異質部材とを接着構造体を介して固着してなり、
該接着構造体は、前記異質部材を該異質部材の表面から端縁部分にかけて保護する受皿状のシートと、このシートを両側に挟む粘着層とを備え、該粘着層のうちの少なくとも一方が水溶性の粘着層からなり、前記シートと前記水溶性の粘着層との相互間、または、前記シートと前記容器本体もしくは前記異質部材との相互間に前記水溶性の粘着層を溶解させる液体を通す流路を配設してなるものであって、
前記流路は、前記シートの表面に形成された凹凸又は溝よりなるものであることを特徴とする化粧料容器。
【請求項２】
前記水溶性の粘着層は、ポリビニルアルコールを主成分とするものである、請求項１に記載の化粧料容器。
【発明の詳細な説明】
【０００１】
【発明の属する技術分野】
本発明は、プラスチックと、鏡、ガラスあるいは金属材など異質のものとを相互に接続する接着構造体と、この接着構造体を備えた化粧料容器に関し、使用後の廃棄に際して異質な２つの部材を安全かつ簡便な手法でもって相互に分離し、確実な分別回収を実現しようとするものである。
【０００２】
【従来の技術】
異質な２つの部材を相互に組合せたものとしては、プラスチックからなる筐体に鏡を貼り合わせた手鏡や装飾として金属プレートを用いた化粧用コンパクト容器あるいは口紅を収納するケース等が知られており、この他にも日用品や家庭用品に数多く見られる。
【０００３】
これらのものは、ベース材の両面に粘着層を有する両面テープやホットメルトによって固着されているのが普通である。
【０００４】
ところで、近年、資源の有効活用を図る観点から、分別回収の要請が高まるなかで、例えば、合成樹脂製の容器本体と、鏡やガラスなどの異質部材との相互間を固着した化粧料容器につき、それらの異質部材同士を分離して廃棄する必要がある。
【０００５】
しかしながら、この場合、鏡やガラス等のようにその端縁が肉薄な形状においては、それらを安全に取り離すのは困難である。そこで、この問題に対応すべく、水溶性の接着剤を使用した両面テープを用いた固着方法が利用されるようになってきている。しかしながら、この場合でも、部材間の密着性が高い場合、水の浸透性が悪く、分離に時間が掛かってしまう問題がある。
【０００６】
【発明が解決しようとする課題】
本発明の課題は、材質の異なる２つの部材同士を両面テープ等にて貼り合わせる組合せ体において、各部材を安全かつ簡便に分離して分別回収することができる新規な接着構造体とその接着構造体を備えた化粧料容器を提案するところにある。
【００１１】
【課題を解決するための手段】
第１発明は、化粧料を収納する合成樹脂製の容器本体と、この容器本体に一体的に取り付けられる鏡等の異質部材との組合せになる化粧料容器であって、前記容器本体と前記異質部材とを接着構造体を介して固着してなり、該接着構造体は、前記異質部材を該異質部材の表面から端縁部分にかけて保護する受皿状のシートと、このシートを両側に挟む粘着層とを備え、該粘着層のうちの少なくとも一方が水溶性の粘着層からなり、前記シートと前記水溶性の粘着層との相互間、または、前記シートと前記容器本体もしくは前記異質部材との相互間に前記水溶性の粘着層を溶解させる液体を通す流路を配設してなることを特徴とするものである。
【００１２】
第１発明において、前記流路は、前記シートの表面に形成された凹凸よりなるものである。
【００１３】
また、第１発明において、前記流路は、前記シートの表面に形成された溝よりなるものとすることもできる。
【００１４】
第２発明に係る化粧料容器は、上記第１発明のいずれか一発明において、前記水溶性の粘着層は、ポリビニルアルコールを主成分とするものであることが好ましい。
【００１５】
【発明の実施の形態】
以下、図面を参照して本発明をより具体的に説明する。
図１は、本発明に従う化粧料容器の容器本体の外観斜視図である。また図２（ａ），（ｂ）は、接着構造体１を図１の化粧料容器に採用した際の断面図であり、図２（ｂ）は、図２（ａ）の領域Ｘを示す要部拡大図である。図３は、本発明に従う接着構造体１を図１の化粧料容器に採用した際の分解図である。
【００１６】
容器本体は、図１に示す如く、例えばプラスチックの如き合成樹脂からなるものであり、化粧料を収納する収納部２と、この収納部２にヒンジを介して揺動可能に連結する蓋体３からなっている。また、符号４は、蓋体３の裏面に配置した例で示した鏡である。
【００１７】
接着構造体１は、図２（ａ），（ｂ）に示す如く、鏡４の表面から端縁部分にかけて保護する受皿状のシート１ａと、この受皿状のシート１ａを両側に挟む粘着層１ｂを備えるものであって、この粘着層１ｂの両方もしくは一方が水溶性の粘着層からなっている。このため、鏡４は、接着構造体１を介して蓋体３の上に配置することにより、蓋体３に対して強固に固着されることになる。
【００１８】
受皿状のシート１ａは、例えば、ポリエチレンテレフタレートからなる透明な合成樹脂製であって、図３に示す如く、シート１ａの表面に凹凸が形成された極薄肉な波形フィルムである。受皿状のシート１ａはまた、鏡４の裏面４ｆから端縁部分４ｅにかけて保護する枠１ａwを有し、この枠１ａwの縁周りの一部には、使用者が指先で保持可能な取っ手１ａpが形成されている。
【００１９】
接着構造体１は、蓋体３と鏡４とを固着させる際、シート１ａの波形凹凸によって、図２（ａ），（ｂ）に示す如く、シート１ａと水溶性の粘着層１ｂとの間に水溶性の粘着層１ｂを溶解させる液体（一般的には水）が流通する流路Ｒ1を形成する。
【００２０】
上掲図１に示したような構成になる化粧料容器においては、その化粧料容器を分別廃棄するため、蓋体３から鏡４を取り外すには、接着構造体１に適量の水をかけるか、あるいは接着構造体１そのものを水の中に入れる。
【００２１】
そうすると、水が受皿シート１ａと水溶性粘着層１ｂとの間に形成された流路Ｒ1内を流通して水溶性粘着層１ｂへ浸透することにより、粘着層１ｂがしだいに溶けていき、蓋体３と鏡４とは簡単に分離することになる。このため、使用者は、鏡４と共に、受皿シート１ａを引き上げることにより、蓋体３から安全かつ容易に取り外すことができる。
【００２２】
特に本実施形態では、受皿状シート１ａと一体に取っ手１ａpが成形されている。このため、使用者は、取っ手１ａpを保持して受皿シート１ａを引き上げることにより、さらに、鏡４を蓋体３から安全かつ容易に取り外すことができる。
【００２３】
ところで、本実施形態では、接着構造体１を受皿シート１ａとして直線的な凹凸が施されたフィルムを用いて説明したが、本発明はこれにのみ限定されるものではなく、その表面形状は適宜変更できる。
【００２４】
図４は、受皿状シートの他の実施形態であって、その表面を示す斜視図である。また、図５（ａ），（ｂ）は、この受皿状シートを用いた接着構造体を図１の化粧料容器に採用した際の断面図であり、図５（ｂ）は、図５（ａ）の領域Ｘを示す要部拡大図である。
【００２５】
受皿状シート１０ａは、図４に示す如く、表面に曲線的な凹凸が形成されたフィルムであり、図５に示す如く、シート１０ａと水溶性の粘着層１０ｂとの間に液体が流通する流路Ｒ2を形成する。このため、接着構造体１０に適量の水をかけるか、あるいは接着構造体１０そのものを水の中に入れると、流路Ｒ2を流通する水が水溶性の粘着層１０ｂに浸透して水溶性の粘着層１０ｂを溶解し、鏡４が蓋体３から外れることになる。なお、受皿状シート１０ａは、鏡４を端縁部分まで保護する枠１０ａwを有し、この枠１０ａw縁周りの一部には、使用者が指先で保持可能な取っ手１０ａpが形成されている。
【００２６】
図６は、受皿状シートの他の実施形態であって、その表面を示す斜視図である。また、図７（ａ），（ｂ）は、この受皿状シートを用いた接着構造体を図１の化粧料容器に採用した際の断面図であり、図７（ｂ）は、図７（ａ）の領域Ｘを示す要部拡大図である。
【００２７】
受皿状シート１１ａは、図６に示す如く、表面に小さな凹凸が形成されたフィルムであり、図７に示す如く、シート１１ａと水溶性の粘着層１１ｂとの間に液体が流通する流路Ｒ3を形成する。このため、接着構造体１１に適量の水をかけるか、あるいは接着構造体１１そのものを水の中に入れると、流路Ｒ3を流通する水が水溶性の粘着層１１ｂに浸透して水溶性の粘着層１１ｂを溶解し、鏡４が蓋体３から外れることになる。なお、受皿状シート１１ａは、鏡４を端縁部分まで保護する枠１１ａwを有し、この枠１１ａw縁周りの一部には、使用者が指先で保持可能な取っ手１１ａpが形成されている。
【００２８】
図８は、受皿状シートの他の実施形態であって、その表面を示す斜視図である。また、図９（ａ），（ｂ）は、この受皿状シートを用いた接着構造体を図１の化粧料容器に採用した際の断面図であり、図９（ｂ）は、図９（ａ）の領域Ｘを示す要部拡大図である。
【００２９】
受皿状シート１２ａは、図８に示す如く、その表面の少なくとも一方に小さな凹凸がエンボス加工などで形成されたフィルムであり、図９に示す如く、シート１２ａと水溶性の粘着層１２ｂとの間に液体が流通する流路Ｒ4を形成する。このため、接着構造体１２に適量の水をかけるか、あるいは接着構造体１２そのものを水の中に入れると、流路Ｒ4を流通する水が水溶性の粘着層１２ｂに浸透して水溶性の粘着層１２ｂを溶解し、鏡４が蓋体３から外れることになる。なお、受皿状シート１２ａは、鏡４を端縁部分まで保護する枠１２ａwを有し、この枠１２ａw縁周りの一部には、使用者が指先で保持可能な取っ手１２ａpが形成されている。
【００３０】
図１０は、受皿状シートの他の実施形態であって、その表面を示す斜視図である。また、図１１（ａ），（ｂ）は、この受皿状シートを用いた接着構造体を図１の化粧料容器に採用した際の断面図であり、図１１（ｂ）は、図１１（ａ）の領域Ｘを示す要部拡大図である。
【００３１】
受皿状シート１３ａは、図１０に示す如く、その表裏面に溝が形成されたシート材であり、図１１に示す如く、シート１３ａと水溶性の粘着層１３ｂとの間に液体が流通する流路Ｒ5を形成する。このため、接着構造体１３に適量の水をかけるか、あるいは接着構造体１３そのものを水の中に入れると、流路Ｒ5を流通する水が水溶性の粘着層１３ｂに浸透して水溶性の粘着層１３ｂを溶解し、鏡４が蓋体３から外れることになる。なお、受皿状シート１３ａは、鏡４を端縁部分まで保護する枠１３ａwを有し、この枠１３ａw縁周りの一部には、使用者が指先で保持可能な取っ手１３ａpが形成されている。
【００３２】
図１２は、受皿状シートの他の実施形態であって、その表面を示す斜視図である。また、図１３（ａ），（ｂ）は、この受皿状シートを用いた接着構造体を図１の化粧料容器に採用した際の断面図であり、図１３（ｂ）は、図１３（ａ）の領域Ｘを示す要部拡大図である。
【００３３】
受皿状シート１４ａは、図１２に示す如く、その表面に溝が形成されたシート材であり、図１３に示す如く、シート１４ａと水溶性の粘着層１４ｂとの間に液体が流通する流路Ｒ6を形成する。このため、接着構造体１４に適量の水をかけるか、あるいは接着構造体１４そのものを水の中に入れると、流路Ｒ6を流通する水が水溶性の粘着層１４ｂに浸透して水溶性の粘着層１４ｂを溶解し、鏡４が蓋体３から外れることになる。なお、受皿状シート１４ａは、鏡４を端縁部分まで保護する枠１４ａwを有し、この枠１４ａw縁周りの一部には、使用者が指先で保持可能な取っ手１４ａpが形成されている。
【００３４】
図１〜図１３で説明した受皿状シート（１ａ，１０ａ，１１ａ，１２ａ，１３ａ，１４ａ）を挟む水溶性の粘着層（１ｂ，１０ｂ，１１ｂ，１２ｂ，１３ｂ，１４ｂ）は、受皿状シート全体を覆う層ではなく、例えば、図１４〜図１９に示す如く、蓋体３または鏡４と直接接触するシートの表面部分にだけ設けても良い。
【００３５】
さらに、水溶性の粘着層１ｂについては、例えば、ＰＶＡ（ポリビニルアルコール）を主成分とする粘着材が挙げられるが、とくに水溶性のものであればその成分に限定されることはない。
【００３６】
【発明の効果】
本発明によれば、材質の異なる２つの部材の相互間に配置されそれらを固着させる接着構造体およびその接着構造体を備える化粧料容器において、２つの部材を受皿状のシートを用いて、安全かつ簡単に分離することができるので、種類の異なる部材の分別回収を安全かつ確実に行うことが可能となり資源の有効活用のみならず、廃棄物の処理が容易になる。また、受皿状シートは、材質の異なる２つの部材のうちの一方を該部材の表面から端縁部分にかけて保護するものであるから、鏡、ガラスや金属などの端縁部分が肉薄な形状であっても、安全に取り外すことができる。加えて、受皿状シートは、液体が流通する流路を形成するため、吸水性のある吸水材質に限らない様々な材質から用途に応じて製造することができる。
【図面の簡単な説明】
【図１】  本発明に従う化粧料容器の外観構成を示した図である。
【図２】  （ａ），（ｂ）は、上記実施形態に従う接着構造体を図１の化粧料容器に採用した際の断面図および拡大断面図である。
【図３】  上記実施形態に従う化粧料容器の分解図である。
【図４】  受皿状シートの他の実施形態を示す斜視図である。
【図５】  （ａ），（ｂ）は、図４の受皿状シートを用いた接着構造体を上記図１の化粧料容器に採用した際の断面図および拡大断面図である。
【図６】  受皿状シートの他の実施形態を示す斜視図である。
【図７】  （ａ），（ｂ）は、図６の受皿状シートを用いた接着構造体を上記図１の化粧料容器に採用した際の断面図および拡大断面図である。
【図８】  受皿状シートの他の実施形態を示す斜視図である。
【図９】  （ａ），（ｂ）は、図８の受皿状シートを用いた接着構造体を上記図１の化粧料容器に採用した際の断面図および拡大断面図である。
【図１０】  受皿状シートの他の実施形態を示す斜視図である。
【図１１】  （ａ），（ｂ）は、図１０の受皿状シートを用いた接着構造体を上記図１の化粧料容器に採用した際の断面図および拡大断面図である。
【図１２】  受皿状シートの他の実施形態を示す斜視図である。
【図１３】  （ａ），（ｂ）は、図１２の受皿状シートを用いた接着構造体を上記図１の化粧料容器に採用した際の断面図および拡大断面図である。
【図１４】  図２における水溶性粘着層の他の構成例を示した斜視図である。
【図１５】  図５における水溶性粘着層の他の構成例を示した斜視図である。
【図１６】  図７における水溶性粘着層の他の構成例を示した斜視図である。
【図１７】  図９における水溶性粘着層の他の構成例を示した斜視図である。
【図１８】  図１１における水溶性粘着層の他の構成例を示した斜視図である。
【図１９】  図１３における水溶性粘着層の他の構成例を示した斜視図である。
【符号の説明】
１  接着構造体
１ａ  受皿状のシート
１ａp  取っ手
１ａw  枠
１ｂ  粘着層
２  収納部
３  蓋体（容器本体）
４  鏡
Ｒ1  流路
【図１】
0004025024.tif 000002
【図２】
0004025024.tif 000003
【図３】
0004025024.tif 000004
【図４】
0004025024.tif 000005
【図５】
0004025024.tif 000006
【図６】
0004025024.tif 000007
【図７】
0004025024.tif 000008
【図８】
0004025024.tif 000009
【図９】
0004025024.tif 000010
【図１０】
0004025024.tif 000011
【図１１】
0004025024.tif 000012
【図１２】
0004025024.tif 000013
【図１３】
0004025024.tif 000014
【図１４】
0004025024.tif 000015
【図１５】
0004025024.tif 000016
【図１６】
0004025024.tif 000017
【図１７】
0004025024.tif 000018
【図１８】
0004025024.tif 000019
【図１９】
0004025024.tif 000020